(57)【要約】【課題】撮影シーンにおいて同時刻における拡大撮影と広角撮影，記録ニーズがある中、現時点では、拡大撮影と広角撮影を併用している。しかし拡大撮影と広角撮影をひんぱんに利用した映像作品は、きわめて忙しい映像となり大切なシーンの撮影を逃がす可能性が高い。【解決手段】同一時刻における少なくとも２つ以上の異なる光学系を備えるカメラで撮影した映像信号を同一記録媒体へ記録するマルチズーム記録可能なカメラ一体型レコーダを実現するために、同一時間帯における複数のカメラ映像信号を記録するカメラ一体型レコーダにおいて、第一のカメラ及び第二のカメラを同一方向の映像が得られる方向に配置し、前記第一のカメラと前記第二のカメラは、それぞれ異なる撮像倍率が得られる手段を備え、同一時間帯における前記第一のカメラ映像信号及び前記第二のカメラ映像信号を同一記録媒体へ同期して記録を行うカメラ一体型レコーダ。【選択図】図１
2004215124.tif 000002
【特許請求の範囲】
【請求項１】
同一時間帯における複数のカメラ映像信号を記録するカメラ一体型レコーダにおいて、
第一のカメラ及び第二のカメラは同一方向の映像が得られる方向に配置し、
前記第一のカメラと前記第二のカメラは、それぞれ異なる撮像倍率が得られる手段を備え、同一時間帯における前記第一のカメラ映像信号及び前記第二のカメラ映像信号を記録する
ことを特徴とするカメラ一体型レコーダ。
【請求項２】
請求項１記載のカメラ一体型レコーダにおいて、
光学倍率可変手段を具備する第一のカメラと、
光学倍率固定手段を具備する第二のカメラとを備える
ことを特徴とするカメラ一体型レコーダ。
【請求項３】
請求項１記載のカメラ一体型レコーダにおいて、
前記第二のカメラの光学倍率は、光学焦点距離３５ｍｍ以下である
ことを特徴とするカメラ一体型レコーダ。
【請求項４】
請求項１記載のカメラ一体型レコーダにおいて、
前記第一のカメラと前記第二のカメラの撮像解像度が異なることを
特徴とするカメラ一体型レコーダ。
【請求項５】
請求項１記載のカメラ一体型レコーダにおいて、
前記第一のカメラ映像信号及び前記第二のカメラ映像信号を同一記録媒体へ記録することを特徴とするカメラ一体型レコーダ。
【請求項６】
請求項１記載のカメラ一体型レコーダにおいて、
所定時間毎に前記第一のカメラ映像信号及び第二のカメラ映像信号から第一のディジタル映像信号及び第ニのディジタル映像信号を生成する手段と、
前記第一のディジタル映像信号及び第ニのディジタル映像信号を交互に配列し１系統のディジタル映像信号として前記カメラ一体型レコーダへ記録することを特徴とするカメラ一体型レコーダ。
【請求項７】
請求項５記載のカメラ一体型レコーダにおいて、
前記第一のカメラ映像信号及び前記第二のカメラ映像信号を
それぞれディジタル圧縮する手段と、
前記ディジタル圧縮された前記第一のカメラ映像信号及び
前記第二のカメラ映像信号をインターリーブする手段と、
前記ディジタル圧縮された第一のカメラ映像信号及び前記第二のカメラ映像信号各々の情報量上限値をそれぞれ変更する情報量管理手段とを備え、
前記インターリーブされた信号を前記記録媒体へ記録する
ことを特徴とするカメラ一体型レコーダ。
【請求項８】
請求項７記載のカメラ一体型レコーダにおいて、
前記情報量管理手段は、前記第一のカメラからの情報量と前記第一のカメラの情報量と同じか異なる情報量の前記第二のカメラからの情報量との和が所定の情報量以下となるように管理することを特徴とするカメラ一体型レコーダ。
【請求項９】
請求項１記載のカメラ一体型レコーダにおいて、
前記第二のカメラ映像信号記録を停止、復帰する切替手段を備えたことを特徴とするカメラ一体型レコーダ。
【請求項１０】
請求項９記載のカメラ一体型レコーダにおいて、
前記第二のカメラ映像信号記録動作に応じて、第二のカメラ記録マーク信号を生成する手段と、前記マーク信号を記録媒体に記録する手段とを備えたことを特徴とするカメラ一体型レコーダ。
【請求項１１】
請求項１０記載のカメラ一体型レコーダにおいて、
前記記録媒体から前記前記マーク信号を検出する手段と、
前記検出手段に応じて、前記第一のカメラと前記第二のカメラが同時記録が成されている旨を示す表示手段とを備えることを特徴とするカメラ一体型レコーダ。
【発明の詳細な説明】
【０００１】
【発明の属する技術分野】
本発明は、複数のカメラで異なる倍率、または前記カメラ毎に異なる情報量にて、同一記録媒体へ多チャンネル同時記録を行うカメラ一体型レコーダに関するものである。
【０００２】
【従来の技術】
光ディスクあるいは、ハードディスクに同一時刻における複数のチャンネルの映像情報を記録し、選択的に前記チャンネルの映像再生を行う記録再生装置が開発されている。（例えば、特許文献１）前記記録再生装置は、複数台のカメラに接続され、特に監視の分野で多く使われている。一方、カメラ一体型レコーダは、光学レンズを用いた可変可能な広角撮影、拡大撮影機能、さらには、撮影像の部分的拡大を電子的に行う電子拡大機能が実現されていて、ダイナミックな撮影が実現できている。
【０００３】
【特許文献１】
特開平４−３２４１６５号
【０００４】
【発明が解決しようとする課題】
しかしながら、多くの撮影シーンにおいて、同時刻における拡大撮影と広角撮影，記録ニーズが高まっている。例えば子供の成長記録の代表例の運動会或いは演劇発表会などの撮影シーンにおいて、当該シーンの映像ストーリーを主にするならば広角撮影が望まれる。一方、当該撮影対象像である子供の表情を撮影したいニーズから拡大撮影も希望される。従来の撮影方法の大半は、前記子供を対象像とした拡大撮影あるいは、拡大撮影と広角撮影を併用している。
【０００５】
しかし拡大撮影と広角撮影をひんぱんに利用した映像は、きわめて忙しい映像作品となり大切なシーンの撮影を逃がす可能性が高い。現時点で前記問題事項の解決手段として前記電子拡大機能を利用し、再生時に必要に応じて電子拡大再生を行っている。しかしこの方法は、該映像拡大時の解像度低下の問題、拡大される画面が、画面の特定部位の電子拡大であり必要とされている対象像の拡大ではない問題があり、十分満足のいく拡大撮影と広角撮影には至っていない。
【０００６】
【課題を解決するための手段】
そこで本発明は、カメラ一体型レコーダにおいて、同一時刻における少なくとも２つ以上の異なる光学系を備えるカメラで撮影した映像信号を同一記録媒体へ記録するマルチズーム記録可能なカメラ一体型レコーダを提供する。
【０００７】
具体的な実施手段としては、
同一時間帯における複数のカメラ映像信号を記録するカメラ一体型レコーダにおいて、
第一のカメラ及び第二のカメラは同一方向の映像が得られる方向に配置し、
前記第一のカメラと前記第二のカメラは、それぞれ異なる撮像倍率が得られる手段を備え、同一時間帯における前記第一のカメラ映像信号及び前記第二のカメラ映像信号を記録することとした。
【０００８】
また、前記カメラ一体レコーダにおいて、光学倍率可変手段を具備する第一のカメラと、光学倍率固定手段を具備する第二のカメラとを備えた。
【０００９】
また、カメラ一体型レコーダにおいて、前記第二のカメラの光学倍率は、光学焦点距離３５ｍｍ以下とした広角レンズを備えた。
【００１０】
また、前記カメラ一体型レコーダにおいて、前記第一のカメラと前記第二のカメラの撮像解像度が異なる構成とした。
【００１１】
また、前記カメラ一体型レコーダにおいて、前記第一のカメラ映像信号及び前記第二のカメラ映像信号を同一記録媒体へ記録する構成とした。
【００１２】
また、カメラ一体型レコーダにおいて、前記第一のカメラ映像信号及び前記第二のカメラ映像信号をそれぞれディジタル圧縮する手段と、前記ディジタル圧縮された前記第一のカメラ映像信号及び前記第二のカメラ映像信号をインターリーブする手段と、前記ディジタル圧縮された第一のカメラ映像信号及び前記第二のカメラ映像信号各々の情報量上限値をそれぞれ変更する情報量管理手段とを備えた。
【００１３】
また、前記カメラ一体型レコーダにおいて、前記情報量管理手段は、前記第一のカメラからの情報量と前記第二のカメラからの情報量の和が所定の情報量以下となるように管理することを特徴とするカメラ一体型レコーダ。
【００１４】
また、前記第二のカメラ映像信号記録を停止、復帰する切替手段を備えた。
また、前記第二のカメラ映像信号記録動作に応じて、第二のカメラ記録マーク信号を生成する手段と、前記マーク信号を記録媒体に記録する手段とを備えた。
【００１５】
また、再生動作において、前記マーク信号を検出したら、前記第一のカメラと前記第二のカメラで記録されていることを示す表示手段を備えた。
【００１６】
【発明の実施の形態】
以下、この発明の実施の形態を図面を参照して説明する。
図１は第一の実施例を示す。
第一のカメラ１は、広角撮影から連続に望遠撮影まで可能なズームレンズユニット２と、該ズームレンズの位置を変更し光学倍率を制御するズーム制御部３と、撮像部４から構成されていて、第一の映像信号５を出力する。
【００１７】
第二のカメラ部６は、広角撮影用固定短焦点レンズ７と第二の撮像部８から構成されていて第二の映像信号９を出力する。
前記第一のカメラに内包する撮像部４は、前記撮影使途に対応し高画素、例えば６８万画素の撮像素子を備えてあり、望遠撮影から広角撮影のダイナミックな映像を詳細に映像信号に変換し出力することができる構成としている。
【００１８】
また前記第二のカメラに内包する撮像部８は、常時広角撮影用のカメラであって、全体像の背景情報を得ることが目的であり、前記第一のカメラに比較して高精彩な撮像能力を必要としない。したがって、前記第二のカメラには、例えば撮像部８は３５万画素の撮像素子を備えてなる。
【００１９】
前記レンズ７は、広角用レンズであって、例えば焦点距離が３５ｍｍ以下のレンズであって、本実施例では焦点距離２８ｍｍの固定焦点のレンズを用いて以下実施例を説明するが、本焦点距離に限定されることはない。
【００２０】
ここで本実施例の製品形態について説明する。図２は本実施例を適用したカメラ一体型レコーダであって、第一のカメラレンズ部３１、第二のカメラレンズ部３２は同一方向の被写体が撮影できる配置を成す。図２のカメラ一体型レコーダは、第二のカメラレンズ部が視覚できる構造を成しているが、例えば図示しない、マジックミーラーなどを用いてカメラ一体型レコーダ本体内部に前記第二のカメラレンズ部を配置することにより、概観上は第一のカメラだけが目視できる構造とすることでデザイン的に従来のカメラと同じとすることができ違和感なく使用することができる。以下本実施例では、説明をわかりやすくするため、第二のカメラを目視できる構造とするが本構造に限定されない。
【００２１】
図２の３０はファインダー、３３はカメラ一体型レコーダ本体である。本実施例では、記録媒体は光ディスクで以下説明を行うが、記録媒体は、ディジタル記録が行える媒体であれば、光ディスクに限定することはない。半導体メモリ、ハードディスク、レーザフォロログラム媒体等であっても、本願は適用される。
【００２２】
図１において、前記第一のカメラ映像信号５と第二のカメラ映像信号９はそれぞれマルチ映像信号処理部１０にて、前記２つの映像信号が時間軸多重されディジタル映像信号１１を出力する。
【００２３】
ここで前記マルチ映像信号処理部１０の処理内容の説明を図３を用いて説明する。
図３において、第一のカメラ１からの映像信号５は例えば１／３０秒に１フレームの映像が出力されＡ−０１フレームからＡ−３０フレームが１秒間に出力される。
【００２４】
一方第二のカメラ６からの映像信号９も前記第一のカメラと同様にＢ−０１フレームからＢ−３０フレームが１秒間に出力される。
【００２５】
ここで前記第二のカメラのＢ−０１フレームからＢ−３０フレームの時間軸を１／６０秒遅延させ、前記Ａ−０１フレーム（奇数フレーム）とＡ−０２フレーム（偶数フレーム）との間に挿入させることにより、図４に示す前記第一のカメラからの映像信号５と第二のカメラ映像信号９とが１／６０秒毎に交互に時間多重された１つの映像信号とすることができる。
【００２６】
前記多重された映像信号は、前記マルチ映像信号処理部１０からマルチ映像信号１１として次の時分割マルチエンコード処理部１２へ出力される。
マルチエンコード処理部１２は、２系統の映像信号を時分割にＭＰＥＧエンコード処理を行う部位であって、図５に前記マルチエンコード処理部１２の内部ブロック図を示す。
【００２７】
ここで、図７を用いてＭＰＥＧエンコード処理について説明する。ＭＰＥＧエンコードは，高効率データ圧縮とランダムアクセスの容易性の２つの要素を実現する技術であり、その特徴として、前画像から次画像の予測を行うことにより、画像のデータ冗長性を削減する点と、他の画像によってデータ予測を行うことの無い基準画像を持つ点がある。矢印の方向は時間軸方向であり、フレームを並列して並べている。
【００２８】
５０は基準画像であるＩピクチャーであり、他の画像データより画像の予測を行わないことを特徴とする。５２はＰピクチャーと呼ばれ、動き補償を伴う画像であり、それ以前のＩピクチャー又はＰピクチャーから動き予測を行うことでデータの冗長性を低減する。
５１は、Ｂピクチャーと呼ばれ、過去及び未来に表示される２つのＩピクチャーやＰピクチャーからの動きを行うことを特徴とし、普通はＰピクチャーよりもさらに冗長性が削減される。
【００２９】
図５のＭＰＥＧエンコードエンジン４６は、前述したＭＰＥＧエンコード処理を１個のＭＰＥＧエンコードエンジンをマルチタスク処理で２系統の映像信号に対してＭＰＥＧエンコード処理が行えるように構成している。
前記２つの映像信号が時間軸多重されディジタル映像信号１１は、アナログーディジタル処理部４３にて、ディジタル映像信号に変換される。また前記変換に合わせて、前記ディジタル映像信号の奇数並びにカメラ１の映像を示すＡフレームマークデータを付加さし、偶数並びにカメラ２の映像信号を示すＢフレームマークデータを各々の映像フレームデータのヘッダデータ部としてデータ追加される。
【００３０】
前記ディジタル映像信号に変換された信号は、ＭＰＥＧエンコードエンジン４６に入力される。ＭＰＥＧエンコードエンジン４６は、前記マークデータに応じて面順次エンコード順番を奇数並びエンコード列（Ａフレームデータ）と偶数並びエンコード列（Ｂフレームデータ）各々のＭＰＥＧエンコード処理を並列に時分割変換行う。前記各々のフレームデータが所定フレーム、例えばＧＯＰ単位にＡフレーム処理部４４とＢフレーム処理部４５に蓄積され、各々ＭＰＥＧ圧縮された映像信号１３、１５を出力する。
【００３１】
次に、前記ＭＰＥＧデータＡとＭＰＥＧデータＢのエンコードレートの重み付けについて以下に説明する。本実施例は前述した製品形態のとおり、同一被写体のカメラ映像を広角撮影と望遠撮影を行うものであって、必ずしも両カメラの映像クオリティが同じである必要性も少なく、例えば、主となる望遠撮影は高品質で記録でき、一方広角撮影は、全体像が把握できることが目的であるならば、映像品質、記録品質の優先度を下げても良い。
【００３２】
図６を用いて、前記説明内容を詳細に説明する。図６は、第一のカメラ映像信号のエンコードレートと第二のカメラ映像信号のエンコードレートを図示している。
【００３３】
ディジタル記録の場合、記録媒体、あるいは、記録方式によって、単位時間あたりの記録情報量（以下記録レート）は決定される。例えば、図６の本実施例で扱う記録光ディスクは記録レート上限が１０Ｍｂｐｓにおいて、マルチＨＱ−Ｚｏｏｍモードをユーザが選択するならば、第一のカメラ信号の記録レートは８Ｍｂｐｓに設定され、前記第二のカメラ信号の記録レートは、前記記録レート上限値の差分の２Ｍｂｓに設定される。前記記録レートの上限は１０Ｍｂｐｓで説明を行ったが、記録時間を長くする場合は、前記記録レートの上限値を１０Ｍｂｐｓ未満に設定することで、前記同様に第一のカメラ記録レート及び第二のカメラ記録レートの重み付けが配分される。本実施例では、カメラ１の映像信号記録レート設定を優先としたが、カメラ２の映像信号記録レートが優先であるの構成でも良い。また、前記両者の記録レートの設定は無段階に行うことができるが、本実施例では、弁線的に３種類の記録レートの設定を行うものとして以下動作説明する。また、情報記録レートの上限は１０Ｍｂｐｓで動作説明を行うが、本値に限定されない。
【００３４】
図５の入力端子４８から、マルチＨＱ−ＺｏｏＭモード、マルチＳＴＤモード、通常カメラモードのいずれかひとつを選択した信号を入力する。それぞれのモードに応じて図６に示す記録レート配分に設定される。
【００３５】
マルチＨＱ−ＺｏｏＭモードの場合は、第一のカメラ映像信号の記録レートが８Ｍｂｐｓに、第二のカメラ信号の記録レートが２Ｍｂｐｓに設定される。本モードでは、高画質が要求されるカメラ１に重み付け大とした設定である。
【００３６】
マルチＳＴＤモードの場合は、第一のカメラ映像信号の記録レートと第二のカメラ映像信号の記録レートが当配分された５Ｍｂｐｓの設定であり、両カメラ映像の重み付けを同じにした設定である。
通常カメラモードの場合は、第一のカメラ映像信号だけを使用した、いわゆる通常の１レンズ１撮像素子のカメラ一体型レコーダとして使途する設定である。
【００３７】
本願でいう、広角撮影記録と望遠撮影記録が同時刻に同一記録媒体に可能（マルチズーム機能）であるカメラ一体型レコーダでは、撮影シーンによりマルチズーム機能と、通常の１レンズ１撮像素子のカメラ一体型レコーダとを選択切替できることは重要な機能であり、本装置は、前記モード切替手段により実現している。
【００３８】
図５の端子４８から入力された前記選択信号は、Ａ／Ｂエンコード重み付け部５０に入力される。Ａ／Ｂエンコード重み付け処理部５０は、Ａフレーム処理部４４とＢフレーム処理部４５でＭＰＥＧエンコードレートの重み付けを行う。ここで、Ａフレーム処理部のエンコードレートが８Ｍｂｐｓ、Ｂフレーム処理部のエンコードレートが２Ｍｂｐｓに設定されたならば、エンコードレート切替部４７は、ＭＰＥＧエンコードエンジン４６に対して前記Ａフレーム及び前記Ｂフレームのエンコードレートの上限値を設定する。
【００３９】
マルチエンコード処理部１２は、前記２系統の時分割多重された映像信号を１フレーム間隔飛びに時分割面順次にてディジタル映像信号に変換し、ＤＣＴ圧縮に代表される例えばＭＰＥＧ２などの映像圧縮手段を用いて２系統１ストリームのディジタル映像信号を生成する構成を成している。
【００４０】
図３において、第一のカメラ映像信号及び第二のカメラ映像信号は、それぞれ単位時間当たり（例えば）Ａ−０１フレームからＡ−３０フレームの３０枚のフレーム信号及びＢ−０１からＢ−３０フレーム信号を出力する。前記Ａ−０１からＡ−３０及びＢ−０１からＢ−３０のフレーム信号は、図１２のマルチエンコード処理部により、時分割にそれぞれＭＰＥＧ２エンコード処理が行われ、第一のカメラ映像信号のエンコード信号１３と第二のカメラ映像信号のエンコード信号１５が出力される。
【００４１】
図１の前記第一のカメラ映像信号のエンコード信号１３と第二のカメラ映像信号のエンコード信号１５は、それぞれ第一のＶＯＢＵ／ＩＬＶＵ生成部１４と第二のＶＯＢＵ／ＩＬＶＵ生成部１７に入力される。ＶＯＢＵ／ＩＬＶＵ生成部は、それぞれビデオオブジェクトユニットを生成し、これから更にインターリーブユニットを生成する。各ＶＯＢＵ／ＩＬＶＵ生成部に入力される。
【００４２】
ここで、前記ビデオオブジェクトユニット及びインターリーブユニットについて説明する。
前記２つのエンコード信号は、それぞれ同期して記録あるいは再生する必要性があることから、光ディスクに記録する際には、前記エンコード信号は所定の単位時間あたりのデータ毎を１つのブロックとして、交互にデータを並べ（インターリーブブロック）てインターリーブブロック形成を成して記録する必要がある。
【００４３】
図８に、インターリーブブロック（ＩＬＶＢ）の配列構成例を示す。単位時間当たりの前記２つのエンコード信号はそれぞれｎ個のインターリーブユニット（ＩＬＶＵ）に分割る。
【００４４】
図９は、前記第一のカメラ映像信号のエンコード信号と前記第二のカメラ映像信号のエンコード信号がそれぞれ３つのインターリーブユニット（ＩＬＶＵ１−１からＩＬＶＵ１−３）、及び（ＩＬＶＵ２−１からＩＬＶＵ２−３）に分割され、１系統に配列された状態を示している。
【００４５】
図１の各々のＶＯＢＵ／ＩＬＶＵ生成部から出力されるインターリーブユニット信号１６及び１８はＩＬＶＢ生成部１９に入力される。ＩＬＶＢ生成部１９は、図９で説明したインターリーブブロック信号２０が形成されて、光ディスク記録部２１へ供給される。光ディスク記録部２１は、記録信号に応じて例えばレーザビームの変調が行われ、該レーザビームが光ディスクのトラックに照射されることにより光ディスク面へ記録される。
本願実施例は前記第一のカメラは、可変型望遠撮影が可能と記載し説明を行ったが、例えば焦点距離が２８ｍｍから２１０ｍｍまで可変する、広角撮影を含む望遠レンズであってもよい。
【００４６】
以上、本実施例では、広角撮影カメラ映像（第一のカメラ）と望遠撮影カメラ映像（第二のカメラ映像）とを同時刻に同一記録媒体へ記録を行うことを特徴としているが、撮影シーンによっては、前記第一のカメラあるいは前記第二のカメラのいずれか一方の撮影要求も発生する。そこで、本発明では、第一のカメラだけによるカメラレコーダ機能と前述した第一のカメラと第二のカメラの同時記録が可能であるカメラレコーダ機能とをユーザが選択を行う手段を備えている。
以下本願では、前記第一のカメラだけによるカメラレコーダ機能は、第二のカメラだけによるカメラレコーダ機能としてもよい。
【００４７】
図１１に前記選択機能を備えたカメラ一体型レコーダを示す。図１と同一機能ブロックについての説明は省略する。スイッチ６１は、ユーザ選択スイッチであり、カメラ１記録モードとカメラ１＋カメラ２記録モードのいずれかを選択する。カメラ１記録モードが選択されると、前記選択信号は時分割マルチエンコード処理部１２の端子４８へ入力され、Ａ／Ｂエンコード重み付け部５０へ入力される。前記選択の場合、第二のカメラ信号、すなわちＢフレームエンコードの重み付けは零に設定され、第一のカメラ信号であるＡフレームエンコードだけの動作となる。前記図６で説明したとおり、通常カメラモードで記録される動作となる。
【００４８】
次に先に図６で説明した記録レートの上限値について説明する。ＭＰＥＧエンコード方式は、大別して３つ。第１は平均エンコードレート値を持つ可変長符号化方式、第２は平均エンコードレートを持たない可変長符号化方式、第３は固定長符号化方式があり、本発明ではいずれの符号化方式を用いても良い。前記上限値は、いずれの符号化方式において、単位時間における最大エンコードレート値を規定している。
【００４９】
本発明では、同一記録媒体に、第一のカメラだけによるカメラレコーダ機能（以下通常カメラモード）と第１のカメラと第２のカメラによる同時撮影によるカメラレコーダ機能（以下マルチズーム機能）とが、同一記録媒体へ混在記録される。したがって、再生する場合は、前記記録モードに応じてユーザに通常カメラモード撮影であること、あるいはマルチズーム機能撮影であることのいずれかを通知する必要性がある。
【００５０】
そこで本発明では、図１１のマルチ記録マーク信号発生部６０を設けることにより、前記マルチズーム記録モードが選択されたことを検出し、該マーク信号を発生させ、ＩＬＶＢ生成部１９へ入力する。前記マーク信号は、ＡフレームとＢフレームのＭＰＥＧ圧縮された信号に対応付けされてマルチ記録が成される。
【００５１】
再生時は、前記マーク信号を検出することにより、前記マルチズーム記録がされていることを示す表示マークを行いユーザに当該記録状態を通知する。
【００５２】
ここで、図１０を用いて本発明におけるマルチズーム記録された記録媒体の再生映像表示方法について説明する。再生映像表示方法は大別して３つ。ただし表示方法については以下の方式に限定されない。
【００５３】
第１の再生映像表示方法は、図１０のＡに示すとおり第１のカメラ映像表示（フレームＡ）を全画面表示し、第２のカメラ映像信号を例えば１／４画面サイズで重ね表示を行う。
【００５４】
第２の再生映像表示方法は、図１０のＢに示すとおり第２のカメラ映像表示（フレームＢ）を全画面表示し、第１のカメラ映像信号を例えば１／４画面サイズで重ね表示を行う。
【００５５】
第３の再生映像表示方法は、図１０のＣに示すとおりフレームＡ或いはフレームＢいずれか選択したフレーム映像のみを全画面に表示する。
【００５６】
前記第３の再生表示方法で再生している場合は、当該撮影シーンがマルチズーム記録されているか否かの判別はつかなく、フレームＢ映像があるか否かを切替表示してみなければならない。そこで本発明では、先に説明したとおり、マルチズーム記録されている部分の再生表示においては、図１０のＤに示すとおり、例えばＭマークの表示を行うこととした。なおこのＭマーク表示はユーザの選択により、表示可否選択することができる。
【００５７】
図１２にマルチズーム再生表示を行うためのブロック図を示す。Ｄｉｓｋ再生部７０は、光ディスク媒体上記録トラックを読み取り、インターリーブブロック再生部７２に光ディスク再生信号７１を入力する。ＩＬＶＢ再生部７２は、前記再生信号から、マルチズーム記録されているならば、２つのインターリーブブロックをデコードし、Ａフレームのインターリーブユニット信号７３とＢフレームのインターリーブユニット信号７４をＶＯＢＵ／ＩＬＶＵ再生部７６、７７に入力する。
【００５８】
ＶＯＢＵ／ＩＬＶＵ再生部は、それぞれＡフレームのＶＯＢデータ７８とＢフレームのＶＯＢデータ７９を再生し、時分割マルチデコード処理部８０へ入力する。時分割マルチデコード処理部８０は、複数のＭＰＥＧストリームを１系統のＭＰＥＧデコード処理により時分割にて元の複数のディジタル映像信号に復調する処理を行い該復調されたＡフレームとＢフレームの映像信号８１はマルチ映像信号処理部８２へ入力される。マルチ映像信号処理部８２は、ＡフレームとＢフレームの映像信号を元のアナログ映像信号に変換し、１つの画面８５にＡフレームとＢフレームとを同時表示或いは選択表示を行う。また、ＡフレームとＢフレームのマルチズーム記録が行われていれば、前記画面８５に前記Ｍマーク８４を表示する。
【００５９】
【発明の効果】
本発明は、１台のビデオカメラレコーダで広角撮影記録と可変型望遠撮影記録を単一記録媒体に同時記録を行うことができ、被写体のバックグランドを含めた全体背景を失うことなく、目的の被写体をズームアップして記録できる効果は、特に子育てビデオカメラを中心とするビデオカメラユーザ等において、効果は絶大なるものである。
【図面の簡単な説明】
【図１】本発明の実施例のマルチズーム記録型カメラレコーダブロック図
【図２】本発明の実施例のマルチズーム記録型カメラレコーダ製品形態図
【図３】本発明の実施例の複数の映像信号時間軸多重を説明する図
【図４】本発明の実施例の複数の映像信号を時間軸多重した映像信号を示す図
【図５】本発明の実施例のマルチタスクＭＰＥＧエンコーダブロック図
【図６】本発明の実施例のマルチエンコードレート配分比率の説明図
【図７】本発明の実施例のＭＰＥＧ圧縮を説明する図
【図８】本発明の実施例のインターリーブユニットを説明する図
【図９】本発明の実施例のインターリーブユニットブロックを説明する図
【図１０】本発明の実施例の再生時の画面表示タイプを説明する図
【図１１】カメラ１記録モードカメラ１＋カメラ２記録モード選択記録実施例ブロック図
【図１２】マルチズーム記録モードマーク表示実施例ブロック図
【符号の説明】
１…第一のカメラ、  ２…ズームレンズユニット、  ３…ズーム制御部、
４…撮像部、  ５…第一のカメラ映像信号、  ６…第二のカメラ、
７…広角撮影用固定焦点レンズ、  ８…第二の撮像部、
９…第二の映像信号、  １０…マルチ映像信号処理部、
１１…ディジタル映像信号、  １２…時分割マルチエンコード処理部、
１４…第一のＶＯＢＵ／ＩＬＶＵ生成部、
１３，１５…ＭＰＥＧ圧縮された映像信号、  １６…インターリーブユニット信号、
１７…第二のＶＯＢＵ／ＩＬＶＵ生成部、  １９…ＩＬＶＢ生成部、
２０…インターリーブブロック信号、  ２１…光ディスク記録部、
３０…ファインダー、  ３１…第一のカメラレンズ、
３２…第二のカメラレンズ、  ３３…カメラ一体型レコーダ本体、
４３…アナログーディジタル処理部、  ４４…Ａフレーム処理部、
４５…Ｂフレーム処理部、  ４６…ＭＰＥＧエンコードエンジン、
４７…エンコードレート切替部、  ４８…入力端子、
５０…  Ａ／Ｂエンコード重み付け部、  ６０…マルチ記録マーク信号発生部、
６１…スイッチ、  ７０…Ｄｉｓｋ再生部、
７２…インターリーブブロック再生部、
７３…Ａフレームのインターリーブユニット信号、
７４…Ｂフレームのインターリーブユニット信号、
７６…ＶＯＢＵ／ＩＬＶＵ再生部、  ８０…時分割マルチデコード処理部、
８２…マルチ映像信号処理部、  ８５…画面。
【図１】
2004215124.tif 000003
【図２】
2004215124.tif 000004
【図３】
2004215124.tif 000005
【図４】
2004215124.tif 000006
【図５】
2004215124.tif 000007
【図６】
2004215124.tif 000008
【図７】
2004215124.tif 000009
【図８】
2004215124.tif 000010
【図９】
2004215124.tif 000011
【図１０】
2004215124.tif 000012
【図１１】
2004215124.tif 000013
【図１２】
2004215124.tif 000014